【事件の表示】
　平成　３年特許願第１７７８９３号「磁気記録再生装置」拒絶査定に対する審判事件［平成　５年　２月　５日出願公開、特開平　５−　２８６００］について、次のとおり審決する。
【結　論】
　本件審判の請求は、成り立たない。
【理　由】
１ 手続の経緯、本願発明
　本願は、平成３年７月１８日の出願であって、その請求項１に係る発明は、当審において補正された全文補正明細書及び図面の記載からみて、その特許請求の範囲の請求項１に記載された次のとおりのものと認める。
　「シャーシ上の所定位置に装着されたテープカセットを該シャーシ上に斜めに取り付けられた回転ヘッドドラム装置に対して往復移動自在に設けたＭローディングタイプの磁気記録再生装置において、
　軸を垂直に起立固定して上記シャーシに対して斜めに取り付けられた固定下ドラムと、
　上記軸の上端部に固定され、上部側の一部を斜めにカッティング成形された固定上ドラムと、
　偏平回転トランスならびに上記固定下ドラムに固定されたステータと所定クリアランスを隔てて対峙してコアレスモータを形成するバックヨークとマグネットを有し、外周面にヘッドを所定量突出させて上記軸の中途部に軸受を介して回転自在に支持するとともに、上記固定下ドラムと上記固定上ドラムの間に配設した回転ドラムと、
　を有した回転ヘッドドラム装置を備え、
　上記テープカセットの往動完了時に上記テープカセットの前側開口部内に上記回転ヘッドドラム装置を収納自在にするとともに、
　少なくとも上記固定上ドラムの斜めカットされた部分の一部を、上記テープカセットの前側開口部内に入りこませるようにしたことを特徴とする磁気記録再生装置。」（以下、「本願発明」という。）
　　
２ 引用刊行物に記載された発明
　これに対して、原査定の拒絶の理由に引用された特開昭６２−２７７６５２号公報（以下、「引用刊行物」という。)には、カセットとオーバーラップ配置ができ、テープの走行性能及び装置の薄形化をも確保することができる「磁気記録再生装置における回転ヘッド装置」に関する発明について、次の事項が記載されている。
　(i)「１.回転磁気ヘッドと円筒状外周面を有し該外周面にて磁気テープを案内し磁気ヘッドの回転面をはさんで上下に同芯的に配置される一対のシリンダとを有する回転ヘッド装置と、磁気テープを内蔵し、前面に開口部を有するカセットから磁気テープを引き出して回転ヘッド装置に所定の巻付角で巻装して所定のテープ走行路を形成するローディング機構とを有する磁気記録再生装置において、磁気ヘッド回転面の上側に配置されるシリンダの磁気テープが装架されない部分に切欠き部にを設け、該切欠き部に前記カセットを臨ませて前記回転磁気ヘッド装置とオーバーラップさせるように構成したことを特徴とする磁気記録再生装置における回転ヘッド装置。」（特許請求の範囲）
　(ii)「第２図は本発明による磁気記録再生装置の全体平面図であって、カセットを装着したローディング前の状態を示す。同図において、２は磁気ヘッドを搭載した回転ヘッド装置、（中略）６はテープ３を巻回した供給リール４及び巻取リール５を内蔵するカセットである。カセット６はその前面に張架されるテープ３の内側に開口部８を有し、（中略）前面に張架されるテープ３はカセットが装置からはずされた状態では蓋によりカバーされている。
　　回転ヘッド装置２等を載置するメインシャシ１上には、（中略）スライド可能な様にサブシャシ７が載置され、カセット６は該サブシャシ７上に（中略）設置される。この時カセット６の開口部８には、ローラ型テープガイド１０及び１５、傾斜テープガイド１１及び１６、ピンチローラ２８及び引出しローラ２０及び２９が挿入されることになる。
　一方メインシャシ１上には、回転ヘッド装置２の周囲に回動可能に支持されるローディングリング９、テープ３を駆動するために下方に同軸でモータ２７を保持するキャプスタン２６、ローラ型テープガイド２４及び２５が載置される。」（3頁右上欄末行〜同右下欄4行）
　(iii)「第３図は第２図に示した磁気記録再生装置においてテープのローディングが完了した状態の平面図である。テープ３のローディングに際しては、まずローディングリング９の回動によりテープガイド群がカセット６の開口部８内の第２図に示す位置から回転ヘッド装置２へのテープ巻装を完了する第３図に示す位置まで移動する。そしてその移動の初期においてはアーム２１及び３１の回動により引出しローラ２０及び２９とピンチローラ２８が引出される。更にローディングリング９が所定量回動し、テープガイド群がほぼカセットの開口部８より出た状態でカセット６を載置するサブシャシ７が回転ヘッド装置２の方向に移動する。そして回転ヘッド装置２が所定量だけ開口部８内に入り込んだ所でサブシャシ７の移動は終了する。」（4頁左上欄3〜17行）
　(iv)「第１図は本発明における磁気記録再生装置の要部を説明するためのカセットと回転ヘッド装置との関係を示す側面図であって、１はメインシャシ、２は回転ヘッド装置、６はカセット、７はサブシャシ、８は開口部、３２は前蓋、３３は内蓋、３４は下固定シリンダ、３５は上固定シリンダ、３５aは切欠き部、３６は回転ヘッド、８５はテープリードである。
　　同図において、回転ヘッド装置２は基本的に二つの要素、下固定シリンダ３４と上固定シリンダ３５から成り、この二つのシリンダが対向するすき間に回転する複数個のヘッド３６がシリンダ外周面よりわずかに突出する様に取付けられている。またカセット６にはその前面に張架されるテープを保護する目的でテープを覆う蓋が設けられており、その構造は図に示す様に前蓋３２及び内蓋３３より成り、カセット６が装置に装着された状態では前蓋３２及び内蓋３３は開蓋されて開口部８の上方に位置し、カセットが装置から取り外した状態では該テープを前蓋３２と内蓋３３で包み込む様な構造となっている。従って開口部８内に回転ヘッド装置２を挿入して配置しようとするとこの蓋の位置が高さの制約条件となる。これを回避するために回転ヘッド装置２の上固定シリンダ３５の蓋３２及び３３と対向する部分が切欠かれて、切欠き部３５aを構成している。」（4頁左下欄4行〜同右下欄9行）
　(v)「第４図は、本発明による回転ヘッド装置の断面図であって、２は回転ヘッド装置、３４は下固定シリンダ、３５は上固定シリンダ、３５aは切欠き部、３６aと３６bはヘッド、３７は軸、３８a、３８bは軸受、３９はストッパ、４０はディスク、４１は回転シリンダ、４２はステータ、４３はロータ、４４はＦＧマグネット、４５はＦＧコイル、４６はホルダ、４７は固定側トランス、４８は回転側トランスである。
　　同図において、下固定シリンダ３４には軸３７が圧入され、その上端には上固定シリンダ３５が同芯に固定されている。上下固定シリンダ３４及び３５の中間には、軸受３８a及び３８bにより軸３７に回転自在に支承されるディスク４０が配され、ストッパ３９により該軸受３８ａ及び３８ｂには適切な予圧が付加される。ディスク４０の下方にはモータのロータ４３が一体に固定され、下固定シリンダ３４の底面に固定されたステータ４２と対面して配置され、ディスク４０を回転駆動する。(中略)
　　一方ディスク４０の上部にはヘッド３６を搭載する回転シリンダ４１が固定されており、該回転シリンダ４１の下面には回転側トランス４８が接着され、ホルダ４６に接着される固定側トランス４７と対向してヘッド３６との信号の授受を行う。」（4頁右下欄12行〜5頁右上欄1行）
　(vi)「以上説明した様に、本発明によれば、(1)回転ヘッド装置をカセット開口部内に極限までオーバーラップすることができるので、装置の大きさを小さくして小形軽量化をはかれる。」（6頁右上欄17〜末行）
　そして、第１図及び第３図には、カセット６を載置するサブシャシ７が回転ヘッド装置２の方向に移動したとき、上固定シリンダ３５の切欠き部３５ａの一部をカセット６の開口部８内に入り込ませることが明確に示されているから、上記記載事項(i)〜(vi)及び第１〜４図をみれば、上記引用刊行物には以下の発明が記載されていることになる。
　「メインシャシ(1)上の所定位置に装着されたカセット(6)を該メインシャシ上に取り付けられた回転ヘッド装置(2)に対して往復移動自在に設けたＵローディングタイプの磁気記録再生装置において、
　軸(37)を垂直に起立固定して上記メインシャシ(1)に対して取り付けられた下固定シリンダ(34)と、
　上記軸(37)の上端部に固定され、カセット(6)の前蓋(32)及び内蓋(33)と対向する部分を切欠かれた上固定シリンダ(35)と、
　固定側及び回転側トランス(47,48)ならびに上記下固定シリンダ(34)に固定されたステータ(42)と所定クリアランスを隔てて対峙してモータを形成するロータ(43)を有し、外周面にヘッド(36)を所定量突出させて上記軸(37)の中途部に軸受(38a,38b)を介して回転自在に支持するとともに、上記下固定シリンダ(34)と上記上固定シリンダ(35)の間に配設した回転シリンダ(41)と、
　を有した回転ヘッド装置(2)を備え、
　上記カセット(6)の往動完了時に上記カセットの開口部(8)内に上記回転ヘッド装置(2)を収納自在にするとともに、
　少なくとも上記上固定シリンダ(35)の切欠かれた部分の一部を、上記カセット(6)の開口部(8)内に入りこませるようにしたことを特徴とする磁気記録再生装置。」（以下、「引用刊行物の発明」という。）
　　
３ 対　比
　そこで、本願発明と引用刊行物の発明とを比較すると、引用刊行物の発明における「メインシャシ」、「カセット」、「回転ヘッド装置」、「下固定シリンダ」、「上固定シリンダ」、「固定側及び回転側トランス」、「モータ」、「回転シリンダ」、「開口部」及び「上固定シリンダの切欠かれた部分」は、それぞれ本願発明における「シャーシ」、「テープカセット」、「回転ヘッドドラム装置」、「固定下ドラム」、「固定上ドラム」、「偏平回転トランス」、「コアレスモータ」、「回転ドラム」、「前側開口部」及び「固定上ドラムのカットされた部分」に相当するものであり、また引用刊行物の発明における「カセット(6)の前蓋(32)及び内蓋(33)と対向する部分を切欠かれた」は、上固定シリンダ(35)の上部側の一部をカッティング成形されたことに他ならないから、これら両発明は以下の一致点及び相違点を有する。
　[一致点]
　「シャーシ上の所定位置に装着されたテープカセットを該シャーシ上に取り付けられた回転ヘッドドラム装置に対して往復移動自在に設けた磁気記録再生装置において、
　軸を垂直に起立固定して上記シャーシに取り付けられた固定下ドラムと、
　上記軸の上端部に固定され、上部側の一部をカッティング成形された固定上ドラムと、
　偏平回転トランスならびに上記固定下ドラムに固定されたステータと所定クリアランスを隔てて対峙してコアレスモータを形成するロータを有し、外周面にヘッドを所定量突出させて上記軸の中途部に軸受を介して回転自在に支持するとともに、上記固定下ドラムと上記固定上ドラムの間に配設した回転ドラムと、
　を有した回転ヘッドドラム装置を備え、
　上記テープカセットの往動完了時に上記テープカセットの前側開口部内に上記回転ヘッドドラム装置を収納自在にするとともに、
　少なくとも上記固定上ドラムのカットされた部分の一部を、上記テープカセットの前側開口部内に入りこませるようにしたことを特徴とする磁気記録再生装置。」である点。
　[相違点]
　(i) 本願発明は、固定下ドラムがシャーシに対して斜めに取付けられると共に、回転ヘッドドラム装置がシャーシ上に斜めに取付けられたＭローディングタイプの磁気記録再生装置であるのに対して、引用刊行物の発明では、回転ヘッドドラム装置がシャーシ上にどのような姿勢で取付けられているのか明らかにされていないＵローディングタイプの磁気記録再生装置である点。
　(ii) 固定上ドラムの上部側の一部を、本願発明においては斜めにカッティング成形しているのに対して、引用刊行物の発明では斜めにカッティング成形していない点。
　(iii) コアレスモータを形成するロータが、本願発明においてはバックヨークとマグネットを有しているのに対して、引用刊行物の発明ではバックヨークを有しておらず、またマグネットを有しているかどうか明らかでない点。
　　
４ 当審の判断
　以下、上記相違点について検討する。
　(1) 相違点(i)について
　 Ｍローディングタイプの磁気記録再生装置とＵローディングタイプの磁気記録再生装置は、どちらも当該技術分野において周知のものであり（例えば、特開昭６２−１６５７６１号公報、特開昭６１−２８４８５８号公報、上記引用刊行物及び特開平１−９６８５４号公報参照）、どちらのローディング方式も当業者であれば適宜選択できる事項であって、本願発明においてＭローディングタイプに特定した点に格別の意義は認められないから、引用刊行物の発明において、Ｕローディングタイプに替えてＭローディングタイプを採用することは、当業者であれば容易に想到することができたことである。
　(2) 相違点(ii)について
　 磁気記録再生装置の回転ヘッドドラム装置において、ケースやカセットとの当接を避けるために、固定上ドラムの上部側の一部をカッティング成形して除去することは、普通に行われている事項であり〔例えば、特開昭６３−１６８８０３号公報（特に第７図）及び実願昭４８−１９８６４号(実開昭４９−１２２８２２号)のマイクロフィルム（特に第２図）参照〕、カッティング成形の形状は、ドラムの取付角、固定上ドラムの構造又は形状、及び回転ヘッドドラム装置とテープカセットとの位置関係等に応じて当業者が適宜選択することができる設計的事項であるから、引用刊行物の発明において傾斜取付された固定上ドラムの上部側の一部を斜めにカッティング成形することは、当業者であれば容易に想到することができたことである。
　(3) 相違点(iii)について
　 回転ヘッドドラム装置のコアレスモータにおいて、そのロータがバックヨークとマグネットを有する構成とすることは従来から周知の技術事項であるから〔例えば、特開昭６３−２２８４０８号公報（特に第１図）及び特開平２−１１１２４７号公報（特に第２図）参照〕、引用刊行物の発明において、コアレスモータのロータをバックヨークとマグネットを有するものとすることは、前記周知の技術事項を適用することにより、当業者が容易に想到することができたことである。
　そして、本願発明を全体的にみても、上記引用刊行物の発明及び周知の技術的事項から当業者が当然予測できる範囲を超える格別の作用・効果を見出すことができない。
　　
　なお、請求人は請求の理由の中で、本願発明の特徴について次のように主張している。
　(i) 本願発明は、テープカセットの前側開口部内に固定上ドラムが入るまでテープカセットを各ドラムに近付け、装置全体の薄型、小型化を図ることができるものである。
　(ii) 本願発明は、傾いた回転ヘッドドラム装置の固定上ドラムの上部の一部をカットしてテープカセットの前側開口部内にもぐりこませることによって、より薄型の磁気記録再生装置が可能となったものである。
　そこで、これらの主張について検討する。
　[主張(i)について]
　 本願発明においては、「テープカセットの往動完了時にテープカセットの前側開口部内に
回転ヘッドドラム装置
固定上ドラム
　[主張(ii)について]
　 本願発明においては、「
少なくとも
カットされた部分の一部を
前側開口部内に入りこませる
上部の一部をカットして
前側開口部内にもぐりこませる
　してみれば、これらの主張は、いずれも本願発明において特定されていない構成に基づく主張であって採用することができない。
　　
５ むすび
　以上のとおりであって、本願発明は、引用刊行物の発明に基づいて、当業者が容易に発明をすることができたものであるから、特許法第２９条第２項の規定により特許を受けることができない。
　よって、結論のとおり審決する。